(57)【要約】【課題】碍子洗浄時に生じる廃物を捕集でき、捕集された廃物の搬送が容易な碍子洗浄廃物回収装置を提供する。【解決手段】シート２ａと、このシート２ａの周縁２ｂに突設されている複数の第１の掛止具３と、シート２ａに設けられる廃物導出口４と、を備えてなる廃物受け具２と、碍子連１７の配設方向と直交する方向に配される棒状のアーム５と、このアーム５に一体に固設され、かつ碍子キャップ１９に着脱可能に嵌設される嵌設部６と、アーム５の両端のそれぞれに突設されている第２の掛止具７と、を備えてなる第１の保持具８と、アーム５と、このアーム５に一体に固設され、かつアークホーン取付け器具２１に着脱可能に取設される固定部９と、アーム５の両端のそれぞれに突設されている第２の掛止具７と、を備えてなる第２の保持具１０と、廃物導出口４に着脱可能に取設される廃物収容容器１１と、を備えている碍子洗浄廃物回収装置１による。【選択図】図１
2019129131.tif 000002
【特許請求の範囲】
【請求項１】
可撓性を有し、かつ廃物が透過しない材質からなる又はその表面に前記廃物の透過を妨げる被膜を備えてなるシートと、このシートの周縁において前記シートから離れる方向に突設されている複数の第１の掛止具と、前記シートの厚み方向を貫通して設けられる廃物導出口と、を備えてなる廃物受け具と、
碍子連の配設方向と直交する方向に配される棒状のアームと、このアームの胴部に一体に固設され、かつ碍子キャップに着脱可能に嵌設される嵌設部と、前記アームの両端のそれぞれに突設されている第２の掛止具と、を備えてなる第１の保持具と、
前記廃物導出口に着脱可能に取設される廃物収容容器と、を備えていることを特徴とする碍子洗浄廃物回収装置。
【請求項２】
前記アームと、このアームの胴部に一体に固設され、かつアークホーン取付け金具に着脱可能に取設される固定部と、前記アームの前記両端のそれぞれに突設されている前記第２の掛止具と、を備えてなる第２の保持具と、を備えていることを特徴とする請求項１記載の碍子洗浄廃物回収装置。
【請求項３】
前記第１の掛止具及び前記第２の掛止具はともに閉構造をなしており、
前記第１の掛止具と前記第２の掛止具の少なくとも一方は、前記閉構造を開閉可能にする開閉部を備えていることを特徴とする請求項１又は請求項２に記載の碍子洗浄廃物回収装置。
【請求項４】
前記廃物導出口に着脱可能に取設されている栓を備えていることを特徴とする請求項１乃至請求項３のいずれか１項に記載の碍子洗浄廃物回収装置。
【請求項５】
前記廃物収容容器の開口は、前記廃物導出口に螺着されており、
前記廃物収容容器は、この廃物収容容器と一体に又は別体に設けられる固定構造を備え、
前記廃物受け具は、前記固定構造を受けるための固定構造受け部を備えていることを特徴とする請求項１乃至請求項４のいずれか１項に記載の碍子洗浄廃物回収装置。
【発明の詳細な説明】
【技術分野】
【０００１】
本発明は、碍子の表面を洗浄する際に発生する廃物を受けるための碍子洗浄廃物回収装置に関する。
【背景技術】
【０００２】
一般に、碍子の表面に塵埃や塩分が付着して汚れると碍子の絶縁性が損なわれてしまうため、定期的に碍子を洗浄する必要がある。また、塵埃や塩分の付着を防止する目的で碍子表面にはシリコンコンパウンドが塗られている。そして、シリコンコンパウンドが劣化すると、シリコンコンパウンドを塗り直す必要があるため、まずは、碍子の表面を洗浄する必要がある。
具体的には、作業者が劣化したシリコンコンパウンドを布やブラシで直接拭き取ったり、洗浄剤（例えば灯油等）で溶解させたりすることで、碍子の表面から除去する。また、作業者が洗浄する代わりに、自動で碍子の表面を洗浄することができる洗浄装置も各種提案されている。
しかしながら、上記のように作業者が碍子の表面を洗浄する場合は、洗浄時に発生する廃物（例えば、シリコンコンパウンド、塵埃、洗浄剤等）が空中に飛散してしまうという課題を有していた。
このような課題に対処する発明として、例えば、特許文献１に開示されるような発明が知られている。
【０００３】
特許文献１には「碍子洗浄用廃物受け具」という名称で、碍子の表面を洗浄する際に発生する廃物を空中に飛散するのを防止することができる装置に関する発明が開示されている。
特許文献１に開示される碍子洗浄用廃物受け具は、碍子の表面を洗浄する際に発生する廃物を受けるべく、碍子の下方に配置される受け具本体と、受け具本体を碍子に取り付けるための取付手段とを備え、受け具本体は、廃物を受けるための凹状の受け部を有し且つ互いに連結される受け部材を複数備えることを特徴とするものである。
上記構成の特許文献１に開示される発明によれば、取付手段が受け具本体を碍子に取り付けるよう構成されている。このため、受け具本体が碍子の下方に配置されるので、受け具本体が碍子の表面を洗浄する際に発生する廃物を受けることができる。この結果、碍子の表面を洗浄する際に発生する廃物を空中に飛散するのを防止できるという効果が発揮される。
【先行技術文献】
【特許文献】
【０００４】
【特許文献１】特開２０１１−２２８０５５号公報
【発明の概要】
【発明が解決しようとする課題】
【０００５】
上述の特許文献１に開示される発明によれば、碍子洗浄時の廃物を受け具本体に収容できるので、碍子連の下方への廃物の飛散を好適に防止することができる。
その一方で、特許文献１に開示される発明では、廃物を受けるための受け具本体が個々の碍子毎に設けられているため、碍子洗浄作業後に廃液を回収して地上に降ろす作業に手間がかかるという課題を有していた。
この点をより具体的に説明すると、碍子の洗浄を行う場合、作業者は特許文献１中の図１に示されるように、鉄塔のアーム部に梯子を掛止して、この梯子上で碍子を１つずつ洗浄する作業を行っている。
そして、碍子の洗浄作業を完了した後は、個々の受け具本体内に収容された廃物を、この受け具本体ごと地上に降ろすか、あるいは、受け具本体内に収容された廃物を別の容器に移し替えてから地上に降ろす必要がある。そして、特に前者の場合、作業者は受け具本体内に収容されている廃物をこぼさずに鉄塔を降りる必要があり、この点が特に煩雑であった。他方、後者の場合は、鉄塔上で受け具本体内に収容された廃物を他の容器に移し替える際に廃物をこぼしてしまう懸念があり、依然として廃物を鉄塔の下に飛散させてしまう恐れがあった。
【０００６】
本発明はかかる従来の事情に対処してなされたものでありその目的は、碍子洗浄時に生じる廃物を確実に受け止めて回収することができ、かつ、回収された廃物及び廃物受け具の持ち運びが容易な碍子洗浄廃物回収装置を提供することにある。
【課題を解決するための手段】
【０００７】
上記課題を解決するための第１の発明である碍子洗浄廃物回収装置は、可撓性を有し、かつ廃物が透過しない材質からなる又はその表面に廃物の透過を妨げる被膜を備えてなるシートと、このシートの周縁においてシートから離れる方向に突設されている複数の第１の掛止具と、シートの厚み方向を貫通して設けられる廃物導出口と、を備えてなる廃物受け具と、碍子連の配設方向と直交する方向に配される棒状のアームと、このアームの胴部に一体に固設され、かつ碍子キャップに着脱可能に嵌設される嵌設部と、アームの両端のそれぞれに突設されている第２の掛止具と、を備えてなる第１の保持具と、廃物導出口に着脱可能に取設される廃物収容容器と、を備えていることを特徴とするものである。
上記構成の第１の発明において廃物受け具を構成するシートは、碍子連の鉛直下方側に配されることで、個々の碍子を洗浄する際に生じる廃物を受け止めて回収するという作用を有する。また、上記シートの周縁に設けられている第１の掛止具は、後述の第１の保持具における第２の掛止具に掛止されることで、シートの中央部が鉛直下方側に垂下するように碍子連の周囲にシートの縁部を吊下げるという作用を有する。さらに、シートにおいてその厚み方向を貫通して設けられる廃物導出口は、シート上に溜まった廃物をシートの外に排出させるという作用を有する。また、第１の保持具におけるアームは、碍子連の両端部及びその連なりの所望位置においてシートの周縁を吊下げた状態で保持するという作用を有する。さらに、第１の保持具における第２の掛止具は、上記アームの両端部において、第１の掛止具を掛止させることで、シートの周縁を間接的に吊下げ保持させるという作用を有する。また、第１の保持具における嵌設部は、碍子キャップに嵌設されることで、碍子キャップ上に間接的にアームを固定するという作用を有する。加えて、廃物収容容器は、廃物導出口から排出される廃物を収容保持するという作用を有する。
【０００８】
第２の発明である碍子洗浄廃物回収装置は、上述の第１の発明において、アームと、このアームの胴部に一体に固設され、かつアークホーン取付け金具に着脱可能に取設される固定部と、アームの両端のそれぞれに突設されている第２の掛止具と、を備えてなる第２の保持具と、を備えていることを特徴とするものである。
上記構成の第２の発明は、廃物受け具を碍子連に着脱可能に取設するための保持具として第１の保持具と第２の保持具の２種類を備えてなる碍子洗浄廃物回収装置である。このような第２の発明では、上述の第１の発明による作用と同じ作用を有する。
また、第２の保持具におけるアーム及び第２の掛止具は、第１の保持具におけるそれぞれと同じ作用を有する。さらに、第２の保持具における固定具は、第２の保持具におけるアームをアークホーン取付け金具に着脱可能に固設させるという作用を有する。
そして、第２の発明によれば、廃物受け具を碍子連に取設するための保持具として第１の保持具のみならず第２の保持具を備えていることで、碍子連の始端又は終端位置において、碍子キャップが存在しない部位においてシートの周縁の吊下げ保持を可能にするという作用を有する。
【０００９】
第３の発明である碍子洗浄廃物回収装置は、上述の第１又は第２の発明において、第１の掛止具及び第２の掛止具はともに閉構造をなしており、第１の掛止具と第２の掛止具の少なくとも一方は、閉構造を開閉可能にする開閉部を備えていることを特徴とするものである。
上記構成の第３の発明は、上述の第１又は第２の発明による作用と同じ作用に加えて、第１の掛止具及び第２の掛止具はともに閉構造をなしており、かつ、第１の掛止具と第２の掛止具の少なくとも一方が開閉部を備えているということは、第１の掛止具及び第２の掛止具の概念からフック状の形態が除外されることを意味している。
このことはさらに、第２の掛止具に対して第１の掛止具を着脱させる際に、第１の掛止具又は第２の掛止具に設けられている開閉部の操作を行う必要があることを意味している。
このような第３の発明では、第２の掛止具に第１の掛止具を装着した後は、第１又は第２の掛止具の少なくとも一方に設けられている開閉部を操作しない限り、第２の掛止具から第１の掛止具を取り外すことができないので、第３の発明の使用時に意図せず第２の掛止具から第１の掛止具が外れてしまうのを妨げるという作用を有する。
【００１０】
第４の発明である碍子洗浄廃物回収装置は、上述の第１乃至第３のそれぞれの発明において、廃物導出口に着脱可能に取設されている栓を備えていることを特徴とするものである。
上記構成の第４の発明は、上述の第１乃至第３のそれぞれの発明による作用と同じ作用に加えて、廃物導出口に栓をすることで、廃物導出口からの廃物の排出を一時的に止めるという作用を有する。これにより、第４の発明では、廃物で満たされた廃物収容容器を新たな廃物収容容器に交換する際の廃物の空中への飛散を好適に抑制するという作用を有する。
【００１１】
第５の発明である碍子洗浄廃物回収装置は、上述の第１乃至第４のそれぞれの発明において、廃物収容容器の開口は、廃物導出口に螺着されており、廃物収容容器は、この廃物収容容器と一体に又は別体に設けられる固定構造を備え、廃物受け具は、固定構造を受けるための固定構造受け部を備えていることを特徴とするものである。
上記構成の第５の発明は、上述の第１乃至第４のそれぞれの発明による作用と同じ作用に加えて、物収容容器の開口が廃物導出口に螺着されていることに加えて、廃物収容容器が固定構造を、また、廃物受け具が固定構造受け部をそれぞれ備えていることで、廃物受け具に廃物収容容器を確実に固定させるという作用を有する。
また、第３の発明では、廃物収容容器の固定構造を廃物受け具の固定構造受け部に接続した状態で廃物導出口への物収容容器の螺着作業を行う場合に、その作業中に物収容容器が意図せず落下してしまうのを妨げるという作用を有する。
【発明の効果】
【００１２】
このような第１の発明によれば、廃物受け具をなすシートに溜まった廃物を、廃物導出口を介してシートに接続されている廃物収容容器内に収容して保持することができる。そして、このような第１の発明では、碍子の洗浄作業が終了した後に、廃物受け具から廃物が収容された廃物収容容器を分離することができる。さらに、第１の発明では、廃物受け具から分離された廃物収容容器の開口部に蓋をする又は栓をして廃物収容容器を持ち運ぶことができるので、廃物を鉄塔上から地上に降ろす際の運搬を容易にし、かつ移動中に廃物が飛散するのを確実に防止することができる。
従って、第１の発明によれば、碍子洗浄作業完了後の廃物の取り扱いが極めて容易な碍子洗浄廃物回収装置を提供することができる。
また、廃物受け具を構成するシートは可撓性を有している。このため、使用済みの廃物受け具は、第１の保持具から取り外した際に、折り畳んだり、丸めたりすることができるので、コンパクトにした状態で地上に持ち運ぶことができる。
従って、第１の発明によれば、碍子洗浄廃物回収装置の鉄塔上への持ち運び、並びに、鉄塔上から地上への持ち運びを極めて容易するという効果も併せて有する。
【００１３】
第２の発明は、上述の第１の発明による効果と同じ効果に加えて、第１の保持具のみならず第２の保持具を備えていることで、廃物受け具を碍子連に取設する際に、碍子連の始端又は終端位置の碍子キャップが存在しない部位にも廃物受け具を固定することができる。
この結果、第２の発明によれば、碍子連の始端又は終端位に配されている碍子の鉛直下方側についても廃物受け具でしっかりと被覆することができる。これにより、碍子の洗浄作業時に廃物が地上側に飛散するのを一層確実に防止することができる。
【００１４】
第３の発明は、上述の第１又は第２の発明による効果と同じ効果に加えて、第２の掛止具に第１の掛止具が掛止されている状態で、第２の掛止具から第１の掛止具が外れてしまうのを確実に防止することができる。
これにより、第３の発明によれば、碍子洗浄作業中にシートが第１又は第２の保持具から外れてシート内に収容された廃物が飛散する、あるいは廃物受け具が意図せず落下してしまうなどの不具合を防止することができる。
よって第３の発明によれば、第１又は第２の発明よりも碍子洗浄廃物回収装置の使用時の不具合の発生を抑制して、その使用時の安全性を向上させることができる。
【００１５】
第４の発明によれば、上述の第１乃至第３のそれぞれの発明による効果と同じ効果に加えて、碍子洗浄廃物回収装置の廃物受け具が栓を備えていることで、廃物導出口からの廃物の排出とその停止を所望に切り替えることができる。
これにより、第４の発明によれば、廃物導出口に接続される廃物収容容器を必要に応じて交換することができる。
したがって、複数の碍子の洗浄作業を連続して行う際に、多量の廃物が生じてもそれらの全てを廃物受け具から複数の廃物収容容器に移して地上に持ち運ぶことができる。
よって、第４の発明によれば、本発明に係る碍子洗浄廃物回収装置の利便性を一層向上させることができる。
【００１６】
第５の発明によれば、上述の第１乃至第４のそれぞれの発明による効果と同じ効果に加えて、廃物受け具から廃物収容容器が意図せず外れて落下するのを確実に防止することができる。
よって、第５の発明によれば、碍子洗浄廃物回収装置を使用した碍子洗浄作業時の作業の信頼性と安全性を向上させることができる。
【図面の簡単な説明】
【００１７】
【図１】本発明の実施の形態に係る碍子洗浄廃物回収装置を碍子連に装着した状態の側面図である。
【図２】本発明の実施の形態に係る碍子洗浄廃物回収装置における廃物受け具の平面図である。
【図３】（ａ）本発明の実施の形態に係る碍子洗浄廃物回収装置における第１の保持具の斜視図であり、（ｂ）本発明の実施の形態に係る碍子洗浄廃物回収装置における第２の保持具の斜視図である。
【図４】本発明の実施の形態に係る碍子洗浄廃物回収装置を碍子連に装着した状態の平面図である。
【図５】本発明の実施の形態に係る碍子洗浄廃物回収装置の変形例を示す部分断面図である。
【発明を実施するための形態】
【００１８】
本発明の実施の形態に係る碍子洗浄廃物回収装置について図１乃至図５を参照しながら詳細に説明する。
【実施例１】
【００１９】
はじめに、図１乃至図３を参照しながら本実施の形態に係る碍子洗浄廃物回収装置１の概要について説明する。
図１は本発明の実施の形態に係る碍子洗浄廃物回収装置を碍子連に装着した状態の側面図である。また、図２は本発明の実施の形態に係る碍子洗浄廃物回収装置における廃物受け具の平面図である。さらに、図３（ａ）は本発明の実施の形態に係る碍子洗浄廃物回収装置における第１の保持具の斜視図であり、（ｂ）は本発明の実施の形態に係る碍子洗浄廃物回収装置における第２の保持具の斜視図である。
図１に示すように本実施の形態に係る碍子洗浄廃物回収装置１は主に、碍子１８の洗浄時に生じる廃物２２（後段における図５を参照）を受け止めて一時的に収容する廃物受け具２と、この廃物受け具２を碍子連１７に着脱可能に保持するための第１の保持具８及び第２の保持具１０と、廃物受け具２に着脱可能に設置される廃物収容容器１１とにより構成されるものである。
【００２０】
また、本実施の形態に係る碍子洗浄廃物回収装置１の廃物受け具２は、図１，２に示すように、それ自体が可撓性を有し、かつ碍子１８洗浄時の廃物２２（後段における図５を参照）が透過しない材質からなる又はその表面に廃物２２の透過を妨げる性質を有する被膜を備えてなるシート２ａと、このシート２ａの周縁２ｂにおいてこのシート２ａから離れる方向に突設されている複数の第１の掛止具３と、シート２ａの厚み方向を貫通して設けられる廃物導出口４と、を備えてなるものである。さらに、この廃物受け具２は、先の図１に示すようにその廃物導出口４に廃物収容容器１１を着脱可能に取設することができる。
また、上述のような廃物受け具２を碍子連１７に着脱可能に取設する固定具には、第１の保持具８と第２の保持具１０の２種類がある。本実施の形態において第１の保持具８は、シート２ａの周縁２ｂを碍子連１７の始端部又は終端部を除く部位において吊下げ保持するための固定具であり、第２の保持具１０は、碍子連１７の終端部及び始端部の両サイドにおいてシート２ａの周縁２ｂを吊下げ保持するための固定具である。
【００２１】
より具体的には、本実施の形態に係る第１の保持具８は、図１，図３（ａ）に示すように、碍子連１７の配設方向と直交する方向に配される棒状のアーム５と、このアーム５の胴部に一体に固設され、かつ碍子キャップ１９（図１を参照）の鉛直上方側に着脱可能に嵌設される嵌設部６と、アーム５の両端部５ａのそれぞれに突設されている第２の掛止具７とにより構成されている。
このような第１の保持具８は、アーム５に一体に固設されている嵌設部６が、碍子キャップ１９の外形形状と略符合する嵌合用凹部６ａを備えていることで［図３（ａ）参照］、この嵌合用凹部６ａと碍子キャップ１９とが嵌合構造を形成して、碍子キャップ１９上にアーム５を着脱可能に設置することができる。
さらに、本実施の形態に係る第１の保持具８は、アーム５の両端部５ａのそれぞれに突設される第２の掛止具７を備えており、この第２の掛止具７にシート２ａの周縁２ｂに設けられる第１の掛止具３を掛止することで、シート２ａの周縁２ｂがアーム５の両端部５ａにおいて吊下げ保持される（図１を参照）。
【００２２】
他方、本実施の形態に係る第２の保持具１０は、先の第２の掛止具７と同様のアーム５及び第２の掛止具７に加えて、このアーム５を図１に示すアークホーン取付け器具２１に着脱可能に取設するための固定部９［図３（ｂ）参照］を備えている。
このような第２の保持具１０は、アークホーン取付け器具２１に形成されているアークホーン取付け用のボルト挿通孔２１ａに、例えばボルト１４及びナット１５等のような固定具を用いて着脱可能に取設することができる。また、第２の保持具１０は、その第２の掛止具７にシート２ａの長手方向端部に配される第１の掛止具３を掛止することで、シート２ａの長手方向端部を第２の保持具１０のアーム５の両端部に吊下げ保持することができる（図１及び後段における図４を参照）。
なお、図１中に示すアークホーン２０は、鉄塔が被雷した際に大電流が碍子連１７を通過しないように設けられる電流の迂回路であり、アークホーン取付け器具２１はこのアークホーン２０を碍子連１７の両端部に固設するための構成要素である。
【００２３】
このような本実施の形態に係る碍子洗浄廃物回収装置１は、先の図１に示すように、碍子連１７を構成する個々の碍子１８を洗浄する際に生じる廃物２２を受け止めるために碍子連１７の鉛直下方側に配して使用する。
また、本実施の形態に係る碍子洗浄廃物回収装置１において、廃物受け具２に捕集された廃物２２（後段の図５を参照）は、廃物導出口４を介して廃物収容容器１１内に導出される。さらに、本実施の形態に係る碍子洗浄廃物回収装置１では、廃物受け具２から廃物収容容器１１を分離することができるので、碍子１８の洗浄作業終了後、廃物２２が収容された廃物収容容器１１を廃物受け具２から取り外し、この廃物収容容器１１の開口部１１ａに蓋や栓をするなどして密封することで、廃物２２をこぼさずに地上に持ち運ぶことができる。
よって、本実施の形態に係る碍子洗浄廃物回収装置１によれば、碍子１８の洗浄により生じた廃物２２を廃物受け具２において捕集することができるだけでなく、その地上への持ち運びも容易にすることができる。
さらに、本実施の形態に係る碍子洗浄廃物回収装置１では、廃物受け具２と、第２の掛止具７及び第２の保持具１０を分離することができる。このため、碍子１８の洗浄作業終了後は、廃物受け具２と、第２の掛止具７及び第２の保持具１０を分離した上で、廃物受け具２については折り畳むなどしてコンパクトな形態にしてから地上に持ち運ぶことができる。このように、本実施の形態に係る碍子洗浄廃物回収装置１では、廃物受け具２のサイズが大きくてもその持ち運びが極めて容易である。
従って、本実施の形態に係る碍子洗浄廃物回収装置１によれば、碍子１８の洗浄作業時に生じる廃物２２の飛散を防いで確実に回収できるだけでなく、回収後の廃物２２の持ち運びや、碍子洗浄廃物回収装置１自体の持ち運びも容易にできるという効果を有している。
【００２４】
ここで図１乃至図４を参照しながら、廃物受け具２、第２の掛止具７及び第１の保持具８のそれぞれについてさらに詳細に説明する。
図４は本発明の実施の形態に係る碍子洗浄廃物回収装置を碍子連に装着した状態の平面図である。なお、図１乃至図３に記載されたものと同一部分については同一符号を付し、その構成についての説明は省略する。
はじめに、本実施の形態に係る廃物受け具２について説明する。
先の図２では、シート２ａの平面形状が台形である場合を例に挙げて説明しているが、図１に示すような碍子連１７の下にシート２ａを配して碍子１８を洗浄する際に生じる廃物２２を受け止めることができれば、シート２ａの平面形状は任意でよい。
【００２５】
特に、本実施の形態に係るシート２ａの平面形状が、その長手方向中心線において対称な台形である場合は、このシート２ａの上底に相当する周縁２ｂを碍子連１７の鉛直方向上位側に配し、かつ同シート２ａの下底に相当する周縁２ｂを同じく碍子連１７の鉛直方向下位側に配することで、碍子連１７に廃物受け具２を装着した際のシート２ａの底部の水平位置を、シート２ａの下底に相当する側を、同シート２ａの上底に相当する側よりも低くすることができる。
この場合、シート２ａの長手方向中心線上で、かつシート２ａの下底に相当する側に廃物導出口４を設けておくことで、シート２ａにおいて捕集された廃物２２をスムーズに廃物収容容器１１内に導出することができる。
なお、廃物受け具２を碍子連１７に装着した際のシート２ａの最下底が、廃物導出口４の取設位置と一致していない場合でも、作業者がシート２ａの底を手で軽く押し上げるなどして廃物導出口４が最下底となるようにしてやることで、シート２ａ内に収容された廃物２２を支障なく廃物収容容器１１内に導出することができる。
【００２６】
また、シート２ａの材質としては、費用対効果の観点から樹脂製が好ましいが、必ずしも樹脂製である必要はなく、例えば合成繊維又は天然繊維からなる布地の表面に、碍子１８の洗浄液に触れても容易に劣化しない材質からなるコーティング被膜を備えるものでもよい。
つまり、シート２ａの材質は、それ自体が可撓性を有し、かつ碍子１８の洗浄に用いられる洗浄液に触れても劣化し難く、碍子１８の洗浄時に生じる廃物２２を確実に捕集することができ、しかも折り畳みを繰り返しても容易に破れないものであればどのような材質でもよい。
【００２７】
また、図１，２に示す本実施の形態に係るシート２ａでは、その周縁２ｂに設けられている第１の掛止具３の形態として、シート２ａの周縁２ｂの一部とともに閉構造をなしているものを備えている場合を例に挙げて説明しているが、第１の掛止具３の形態は図示されるもの以外の形態でもよい。
より具体的には、本実施の形態に係るシート２ａに設けられる第１の掛止具３は、かぎ状のフックでもよいし、リング状の物体やループ状の物体でもよい。あるいは、本実施の形態に係る第１の掛止具３は、例えばカラビナや外れ止め付きフックのような開閉部を有する環状具でもよい。
また、一般に碍子１８は、その一部が陶器であるため、硬くて重いものが碍子に触れると最悪の場合、碍子１８が破損してしまう恐れがある。このため、第１の掛止具３の材質としては、例えば、樹脂成形体や、金属製ワイヤ、合成又は天然繊維からなる紐状物体等により構成することが望ましい。つまり、本実施の形態に係る第１の掛止具３は、繰り返しの使用に耐える十分な強度を有するものであればどのような材質のものでも使用可能であるが、特に金属製でないことが望ましい。
また、本実施の形態に係る廃物受け具２は、洗浄対象である碍子連１７を構成する全ての碍子１８の鉛直下方側を被覆できる程度の大きさ（長さ）を有していることが望ましいが、洗浄対象である碍子連１７の全長が長い場合も想定される。
このため、本実施の形態に係るシート２ａは、例えば５〜７個程度の連なりからなる碍子連１７の鉛直下方側を十分に被覆できる程度の長さ及び幅を有するシート材により構成しておき、碍子連１７上における碍子洗浄廃物回収装置１の取付け位置を変えながら順次碍子１８を洗浄してもよい。あるいは、碍子洗浄廃物回収装置１の取付け位置を変えながら作業を行うことに替えて、碍子連１７に複数の碍子洗浄廃物回収装置１を取り付けて碍子１８の洗浄作業を行ってもよい。
【００２８】
また、廃物受け具２の廃物導出口４への廃物収容容器１１の取付け方法は特に特定される必要はないが、これらの接続部から廃物２２が漏れ出すことがないよう構成されている必要がある。
より具体的には、図１に示すように、例えば廃物導出口４の形態を漏斗状とし、かつその内側面４ａにネジ山を形成しておくとともに、廃物収容容器１１の開口部１１ａの外側面にもネジ山を形成しておき、これらを螺着することで廃物導出口４に廃物収容容器１１を接続可能としてもよい（選択的構成要素）。
この場合、廃物受け具２における廃物導出口４と廃物収容容器１１とを隙間なくかつ外れ難くしながら接続することができる。
【００２９】
次に、図３，４を参照しながら本実施の形態に係る第２の掛止具７及び第２の保持具１０について詳細に説明する。
本実施の形態における第１の保持具８及び第２の保持具１０において、アーム５及び第２の掛止具７は共通の構成要素である。
本実施の形態に係る棒状のアーム５の長さは、少なくとも碍子１８の直径よりも大きく設定されている必要がある。これは、図４に示すように碍子連１７の鉛直下方側に廃物受け具２を吊下げ保持した場合に、アーム５の長さが碍子１８の直径より短いと、廃物受け具２が碍子１８に触れて洗浄作業がしにくくなる、あるいは廃物２２が廃物受け具２の外に飛散するリスクが高まるためである。
また、本実施の形態に係るアーム５の材質は、特に特定されないが、碍子１８の洗浄作業時に、廃物受け具２、廃物収容容器１１及び廃物の全ての荷重を支える必要があるため、軽量でかつ十分な強度を有している必要があり、上述の第１の掛止具３の場合と同様に、金属製以外の材質により構成されていることが望ましい。このようなアーム５の材質としては、例えば、樹脂成形体や、金属製の芯材を有する樹脂成形体、あるいは、木材等を使用することができる。
また、本実施の形態においては、アーム５と嵌設部６とを別々の構成要素により構成している場合を例に挙げて説明しているが、アーム５が十分な強度を有する場合は、アーム５に嵌合用凹部６ａを直接形成してもよい。この場合は、アーム５の胴部が嵌設部６としても機能することになる。
【００３０】
さらに、図３，４では本実施の形態に係る第１の保持具８及び第２の保持具１０における第２の掛止具７が、開閉部７ａを有する閉構造をなしている場合を例に挙げて説明しているが、第２の掛止具７も第１の掛止具３と同様にかぎ状のフックでもよい。
ただし、本実施の形態に係るシート２ａの周縁２ｂに突設される第１の掛止具３が閉構造をなしている場合は、第２の掛止具７への第１の掛止具３の着脱を可能にするために、第２の掛止具７は開閉部（例えば、図３，４に示すような開閉部７ａ）を有する閉構造をなしているか、あるいはかぎ状のフック（図示せず）である必要がある。
また、本実施の形態に係るシート２ａの周縁２ｂに突設される第１の掛止具３が開閉部（図示せず）を有する閉構造をなしている場合は、第１の保持具８及び第２の保持具１０における第２の掛止具７は、開閉部を有しない閉構造をなしていてもよい。この場合は、個々の第１の掛止具３が有する開閉部を操作することにより第２の掛止具７に第１の掛止具３を着脱させることができる。
【００３１】
さらに、本実施の形態においては、特に第１の掛止具３及び第２の掛止具７がともに閉構造をなしており、かつ第１の掛止具３又は第２の掛止具７のいずれか一方が開閉部（例えば開閉部７ａ等）を有している場合は、本実施の形態に係る碍子洗浄廃物回収装置１の使用時に第１の保持具８及び第２の保持具１０の第２の掛止具７から第１の掛止具３が意図せず外れてしまうのを防止できる。
この場合、本実施の形態に係る碍子洗浄廃物回収装置１の使用時の安全性を向上させることができる。この場合、碍子洗浄廃物回収装置１を用いた作業中に廃物受け具２や第１の保持具８が意図せず地上に落下する、あるいはシート２ａ内に廃物２２が溜まっている状態で第２の掛止具７から第１の掛止具３が外れてしまい鉄塔上において廃物２２が飛散する等の不具合の発生を確実に防止することができる。
なお、本実施の形態に係る第２の掛止具７の材質は、上述の第１の掛止具３の場合と同様の理由から、例えば、樹脂成形体や、金属製ワイヤ、合成又は天然繊維からなる紐状物体により構成されていることが望ましい。
さらに、第１の掛止具３又は第２の掛止具７が開閉部（例えば開閉部７ａ等）を備えた閉構造である場合、その具体的な態様は、例えば、樹脂製のカラビナや、同材質からなる外れ止め付きフック等であればよく、これらと同様の機能を有する形態であれば上述される以外のものでもよい。
【００３２】
続いて、本実施の形態に係る第１の保持具８の嵌設部６について詳細に説明する。
本実施の形態に係る第１の保持具８における嵌設部６は、図３（ａ）に示すように、立方体状の中実材の下面側に碍子キャップ１９の突形状と略符合する形状の嵌合用凹部６ａを備えている。
そして、このような嵌設部６を碍子連１７における碍子キャップ１９上に載置することで、碍子キャップ１９と嵌設部６の嵌合用凹部６ａとが嵌合し、碍子キャップ１９上にアーム５を着脱可能に固定することができる。
なお、嵌設部６の材質は特に特定されないが、例えば、樹脂製とすることで成型により容易に嵌合用凹部６ａを形成することができる。
なお、本実施の形態に係る碍子洗浄廃物回収装置１では先の図１に示すように、複数の第１の保持具８を備えているが、全ての第１の保持具８は同じ形態を有している。
【００３３】
さらに、本実施の形態に係る第２の保持具１０における固定部９は、図３（ｂ）に示すように、アーム５の中央部分においてアーム５の軸方向と直交する方向に突設されている一対の平板体である。
また、この固定部９のアーム５に接続されない側の端部はボルト挿通孔９ａを備えている。このため、図４に示すように、一対の固定部９の隙間にアークホーン取付け器具２１（図１も併せて参照）介設し、アークホーン取付け器具２１に形成されているボルト挿通孔２１ａとボルト挿通孔９ａとを連穿させた状態で、これらの連穿孔にボルト１４（図３（ｂ）を参照）を挿設してナット１５で固定することで、第２の保持具１０を碍子連１７の始端又は終端位置に配されているアークホーン取付け器具２１に取設することができる。また、ボルト１４及びナット１５を取り外すことで、アークホーン取付け器具２１から第２の保持具１０を取り外すことができる。
【００３４】
本実施の形態に係る碍子洗浄廃物回収装置１では図１に示すように、廃物受け具２の長手方向両端部に配されている第１の掛止具３は、第２の保持具１０における第２の掛止具７に掛止される。また、上述のように碍子洗浄廃物回収装置１の長手方向両端部に配される廃物受け具２の固定具はともに第２の保持具１０であり、かつこの第２の保持具１０はボルト１４及びナット１５によりアークホーン取付け器具２１に固設されることになる。このため、第１の掛止具３及び第２の掛止具７がともに閉構造をなしている（ただしこの場合、第１の掛止具３又は第２の掛止具７のいずれか１方は開閉部を備えている。）場合は、少なくとも廃物受け具２の長手方向両端部が、碍子連１７の始端及び終端位置から外れる恐れはない。
このため、本実施の形態に係る碍子洗浄廃物回収装置１では、シート２ａの長手方向両端部を除く胴部の周縁２ｂを、碍子キャップ１９上に載置するようにして取設される第１の保持具８により吊下げ保持しても、廃物受け具２自体が落下する恐れはない。
また、洗浄対象である碍子連１７の全長が長い場合で、かつ１枚のシート２ａで碍子連１７の下方側の全域を被覆することができない場合は、碍子連１７における廃物受け具２の設置位置を変更しながら碍子１８の洗浄作業を行う場合も想定される。
この場合、廃物受け具２の長手方向両端部の少なくとも一方を第２の保持具１０によりアークホーン取付け器具２１に固定できない状況も起こり得る。このような場合でも、本実施の形態に係る碍子洗浄廃物回収装置１における第１の掛止具３及び第２の掛止具７がともに閉構造をなしており、かつ第１の掛止具３又は第２の掛止具７のいずれか一方が開閉部（例えば、開閉部７ａ等）を備えていれば、第１の保持具８のみを用いて廃物受け具２を碍子連１７に取設した際に、廃物受け具２が碍子連１７から意図せず外れて地上に落下するのを防止することができる。
このため、本実施の形態に係る碍子洗浄廃物回収装置１を、廃物受け具２、第１の保持具８及び廃物収容容器１１のみにより構成する場合も、すなわち、本実施の形態に係る碍子洗浄廃物回収装置１が第２の保持具１０を備えていない場合でも目的とする効果を支障なく発揮させることができる。
【００３５】
なお、本実施の形態に係る碍子洗浄廃物回収装置１では、アークホーン取付け器具２１に第２の保持具１０をボルト１４及びナット１５により着脱可能に取設する場合を例に挙げて説明しているが、アークホーン取付け器具２１への着脱が可能で、かつ被設置位置対象から容易に外れない構造を有するものであれば、固定部９の形態は図１，３，４に示される以外の形態であってもよい。
また、本実施の形態に係る碍子洗浄廃物回収装置１では特に、図１，３，４に示される形態の第２の保持具１０を備えている場合は、アークホーン取付け器具２１にアーム５を略水平に取設することができる。
この場合、本実施の形態に係る碍子洗浄廃物回収装置１を用いた碍子１８の洗浄作業時に廃物受け具２が傾いてシート２ａ内に収容される廃物２２がこぼれて飛散するのを好適に防止することができる。
【００３６】
また、本実施の形態に係る碍子洗浄廃物回収装置１は、先の図１に示すように、廃物収容容器１１に、この廃物収容容器１１を廃物受け具２に着脱可能に固定するための固定構造１２を、また、シート２ａを碍子連１７に吊下げ保持した際の鉛直下方側に配される側の面に、上記固定構造１２を受けるための固定構造受け部１３（図１，２を参照）備えていてもよい（ともに選択的構成要素）。
この場合、廃物受け具２への廃物収容容器１１の着脱時に、誤って廃物収容容器１１を落下させてしまうリスクを低減することができる。
【００３７】
具体的には、上述の固定構造１２を、例えば、本実施の形態に係る廃物収容容器１１に回動自在に設けられる環状体１２ａと、この環状体１２ａに接続される一対のフック１２ｂとにより構成するとともに（図１を参照）、固定構造受け部１３を、例えば、シート２ａの廃物２２を受容しない側の面において一対のフック１２ｂの掛止予定位置に設けられる一対のループにより構成してもよい。
この場合、フック１２ｂをループ１３ａに掛止した状態で、廃物受け具２の廃物導出口４に廃物収容容器１１を接続する作業を行うことで、万一作業者の手が滑っても廃物収容容器１１が廃物受け具２から外れて落下することはない。
また、環状体１２ａは廃物収容容器１１の開口部１１ａに回動可能に設けられているので、フック１２ｂをループ１３ａに掛止したまま、廃物導出口４に廃物収容容器１１の開口部１１ａを螺着することができる。
なお、一対のフック１２ｂと環状体１２ａの接続部分は、紐やチェーン等の可撓性を有する、あるいは、折り曲げ可能な材質で構成しておくとその取扱いをさらに容易にできる。
なお、本実施の形態に係る固定構造１２及び固定構造受け部１３については図示される形態に限定される必要はなく、目的とする機能を発揮させることができるのであればどのような形態でもよい。
例えば、固定構造１２としてスナップボタンや面ファスナを用いることもできる。
【００３８】
最後に、図５を参照しながら本実施の形態に係る碍子洗浄廃物回収装置１の変形例について説明する。
図５は本発明の実施の形態に係る碍子洗浄廃物回収装置の変形例を示す部分断面図である。なお、図１乃至図４に記載されたものと同一部分については同一符号を付し、その構成についての説明は省略する。
図５に示すように、本実施の形態の変形例に係る碍子洗浄廃物回収装置１は、廃物受け具２の廃物導出口４に着脱可能に取設される栓１６を備えていてもよい（選択的構成要素）。
この場合、碍子連１７の洗浄時に、廃物収容容器１１が廃物２２で満たされた際に、廃物導出口４に栓１６を設置してシート２ａから廃物収容容器１１への廃物２２の排出を一時的に停止させてから廃物収容容器１１を交換することができる。このため、廃物収容容器１１の交換時に廃物２２が飛散するのを極力防止することができる。
また、図５に示すように、廃物受け具２の廃物導出口４に設けられる栓１６はさらに、操作用の挟持部１６ａを備えていてもよい（選択的構成要素）。この場合は、挟持部１６ａの廃物導出口４への着脱作業を容易にできるという効果を併せて発揮させることができる。
なお、説明するまでもないが上述の栓１６は、シート２ａにおいて廃物２２が溜まる側の廃物導出口４に取設される必要がある。
【００３９】
上述のような本実施の形態に係る碍子洗浄廃物回収装置１によれば、廃物受け具２において捕集された廃物２２を廃物収容容器１１に収容することができるので、廃物２２の地上への飛散を確実に防止できる。
さらに、本実施の形態に係る碍子洗浄廃物回収装置１によれば、廃物２２を廃物収容容器１１に収容した状態で持ち運ぶことができ、さらに、廃物収容容器１１が取り外された碍子洗浄廃物回収装置１については、廃物受け具２から第１の保持具８及び第２の保持具１０を取り外した状態で持ち運ぶことができるので、作業後の碍子洗浄廃物回収装置１や廃物２２の取り扱い及び搬送を極めて容易できる。
【産業上の利用可能性】
【００４０】
以上説明したように本発明は、碍子洗浄時に生じる廃物を効率良く捕集することができ、かつその際の装置や捕集された廃物の地上への運搬が容易な碍子洗浄廃物回収装置であり、送電設備の保守点検に関する技術分野において利用可能である。
【符号の説明】
【００４１】
１…碍子洗浄廃物回収装置  ２…廃物受け具  ２ａ…シート  ２ｂ…周縁  ３…第１の掛止具  ４…廃物導出口  ４ａ…内側面  ５…アーム  ５ａ…端部  ６…嵌設部  ６ａ…嵌合用凹部  ７…第２の掛止具  ７ａ…開閉部  ８…第１の保持具  ９…固定部  ９ａ…ボルト挿通孔  １０…第２の保持具  １１…廃物収容容器  １１ａ…開口部  １２…固定構造  １２ａ…環状体  １２ｂ…フック  １３…固定構造受け部  １３ａ…ループ  １４…ボルト  １５…ナット  １６…栓  １６ａ…挟持部  １７…碍子連  １８…碍子  １９…碍子キャップ  ２０…アークホーン  ２１…アークホーン取付け器具  ２１ａ…ボルト挿通孔  ２２…廃物
【図１】
2019129131.tif 000003
【図２】
2019129131.tif 000004
【図３】
2019129131.tif 000005
【図４】
2019129131.tif 000006
【図５】
2019129131.tif 000007